(57)【要約】【課題】簡易な構造でありながら、作動片の復帰時の衝撃及びそれに伴い生じる音を抑えることが可能な静音型の電磁リレーを提供する。【解決手段】コイルボビン１１と、このコイルボビン１１に巻装された通電コイル１２と、上記コイルボビン１１に上端が突き出た状態で貫通した鉄心１３と、ヒンジバネ１５によって回動自在に支承され、上記通電コイル１２に通電することによって上記鉄心１３の上端に磁気吸着されて回動する動作をなす作動片１４とを備えた電磁リレー１であって、  上記作動片１４の先側上方には、該作動片１４の復帰回動動作を緩衝するためのバネ部材１６が設けられていることを特徴する。【選択図】図１
2007200618.tif 000002
【特許請求の範囲】
【請求項１】
コイルボビンと、このコイルボビンに巻装された通電コイルと、上記コイルボビンに上端が突き出た状態で貫通した鉄心と、ヒンジバネによって回動自在に支承され、上記通電コイルに通電することによって上記鉄心の上端に磁気吸着されて回動する動作をなす作動片とを備えた電磁リレーであって、
上記作動片の先側上方には、該作動片の復帰回動動作を緩衝させるためのバネ部材が設けられていることを特徴する電磁リレー。
【請求項２】
請求項１において、
上記バネ部材は、上記作動片の上方に跨るように形成された板状に構成され、その中央部には、上記作動片側に突出し、切り起し形成された舌片が設けられていることを特徴する電磁リレー。
【発明の詳細な説明】
【技術分野】
【０００１】
本発明は、作動片の復帰回動動作時の衝撃及びそれに伴い生じる音を抑えることが可能な静音型の電磁リレーの改良に関するものである。
【背景技術】
【０００２】
従来より、電路を開閉する電磁リレーでは、通電コイルを通電したときには、作動片が鉄心へ吸着されて回動し、通電を解除したときには、作動片がもとの位置に復帰する動作をするため、その作動片の回動により、継鉄に衝突して生じる衝突音が問題となっており、これを小さくするために種々の技術が提案されている。特許文献１には、動作時及び復帰時に発生する音を低減した静音型の電磁継電器（電磁リレー）が開示されている。
【０００３】
図３は、特許文献１に開示されている静音型電磁継電器の説明図であり、（ａ）は電磁継電器の側面図、（ｂ）はこの電磁継電器の部分拡大斜視図である。
この電磁継電器１００は、電磁石ブロック２００に支持バネ４００を介して、回動可能に支持された可動鉄片３００と、この可動鉄片３００に駆動される接点機構部５００とを備えており、上記支持バネ４００には、その上端縁部の中央から延在したヒンジバネ部４１０を間にして、動作時用緩衝バネ部４２０及び復帰時用緩衝バネ部４３０が、図３（ｂ）に示すように延在して設けられている。
この電磁電磁石継電器１００によれば、電磁石ブロック２００の通電が解除され、可動鉄片３００が復帰する際には、該可動鉄片３００が復帰用緩衝バネ部４３０に当接するので、衝撃エネルギーが吸収、緩和され、可動鉄片３００の下端部３１０がヨーク６００の側面に衝突することがなく、復帰時に発生する音を低減することができる。
【特許文献１】特開２００２−２４５９１７号公報
【発明の開示】
【発明が解決しようとする課題】
【０００４】
しかしながら、このような復帰時緩衝バネ部４３０及び動作時用緩衝バネ部４２０をヒンジバネ部４１０に一体的に形成すると、その複雑な形状になるため、変形、損傷がしやすく、可動鉄片３００を回動自在に支持するための強度を保持できなくなるおそれがある。またこのような複雑な形状の支持バネ４００を形成するには製造コストがかかる上、歩留まりが悪く、更に取り付けも容易なものとはいえないという問題があった。
【０００５】
本発明は、上記実情に鑑みなされたものであり、簡易な構造でありながら、作動片の復帰時の衝撃及びそれに伴い生じる音を抑えることが可能な静音型の電磁リレーを提供することを目的としている。
【課題を解決するための手段】
【０００６】
上記目的を達成するために、請求項１の発明に係る電磁リレーは、コイルボビンと、このコイルボビンに巻装された通電コイルと、上記コイルボビンに上端が突き出た状態で貫通した鉄心と、ヒンジバネによって回動自在に支承され、上記通電コイルに通電することによって上記鉄心の上端に磁気吸着されて回動する動作をなす作動片とを備えており、上記作動片の先側上方には、該作動片の復帰回動動作を緩衝させるためのバネ部材が設けられている。
ここでいう作動片の復帰回動動作とは、鉄心に磁気吸着された後、通電コイルへの通電が解除され、作動片が元の位置に復帰する回動動作をいう。
【０００７】
また請求項２の発明に係る電磁リレーは、請求項１において、バネ部材は、上記作動片の上方に跨るように形成された板状に構成され、その中央部には、上記作動片側に突出し、切り起し形成された舌片が設けられている。
【発明の効果】
【０００８】
請求項１に記載の電磁リレーによれば、作動片の先側上方には、該作動片の復帰回動動作を緩衝させるためのバネ部材が設けられているので、作動片の復帰回動動作の際に、作動片が継鉄へ衝突する速度を遅くすることができる。よって、簡易な構造でありながら、通電コイルへの通電が解除された後、作動片が復帰回動動作を行う際に生じる作動片への衝撃及び継鉄への衝突による衝突音を抑えることができる。
【０００９】
請求項２に記載の電磁リレーによれば、バネ部材は、作動片の上方に跨るように設けられた板材で構成されるものなので、取り付けが容易である。また、バネ部材の中央部には、上記作動片側に突出して切り起し形成された舌片が形成されているので、この舌片が作動片の先側に当接することにより、復帰時に付加される作動片への衝撃を和らげるとともに、該バネ部材の構造は簡易なものであるので、コストアップの懸念がない。
【発明を実施するための最良の形態】
【００１０】
以下に、本発明の実施の形態について、添付図面を参照しながら説明する。
【実施例１】
【００１１】
図１は、本発明の静音型電磁リレーの構造を示した説明図で、（ａ）は平面図、（ｂ）は（ａ）図Ａ−Ａ線の部分断面を含む正面図である。なお、図１（ａ）（ｂ）は、通電コイル１２への通電が解除され、電路が開状態の場合を示している。
この電磁リレー１は、以下に説明する構成要素を含み、絶縁ベース２４上に構成され、その全体をカバーケース（不図示）で覆われたユニット体として形成される。
図１に示すように、この電磁リレー１は、電磁石１０と、ヒンジバネ１５によって回動自在に支承され、電磁石１０に通電することによって電磁石１０に吸着されて回動する動作をなす作動片１４と、電磁石１０の側面側で固定された継鉄（ヨーク）１７と、カード１８と、可動接点１９ａ、固定接点１９ｂからなる制御接点１９と、可動接点１９ａを立設させるための可動バネ２０と、固定端子２１と、可動端子２２と、コイル端子２３とを備えて構成されている。なお、２５は絶縁ベース２４に一体形成された台座である。
電磁石１０は、両端部に鍔部１１ａを有したコイルボビン１１と、それに巻装した通電コイル１２と、通電コイル１２の中央に貫通した鉄心１３とより構成される。鉄心１３は一端部を磁極部とする一方、他端部に略Ｌ字状の継鉄１７の基端部を固定したものである。
【００１２】
継鉄１７は磁性材料からなり、基端部が鉄心１３の他端部に固定される一方、垂直部は作動片１４を回動自在に支承する構成となっている。この継鉄１７は、通電コイル１２が励磁されることにより発生する磁束の磁路となる。
作動片１４は、制御接点１９に押圧力を付加する押圧部１４ｂと、鉄心１３に吸着する吸着部１４ａとが略Ｌ字状に折曲形成され、その内側角部１４ｃが継鉄１７の垂直部先端に当接した状態で、折曲部分に開口した開口部より上方に突き出たヒンジバネ１５でもって付勢されることにより、回動自在に支持されて、吸着部１４ａが鉄心１３の一端部に対向している。ここでヒンジバネ１５は、台座２５及び絶縁ベース２４に形成される凹部１５ａにその下端部を埋設して設置され、作動片１４の吸着部１４ａを吸着面から離反する向きに作動片１４をばね付勢する板バネである。
【００１３】
制御接点１９は、銅などの非磁性体で導電性の良好な素材を板厚に形成した固定端子２１上に設けられた固定接点１９ｂと、固定端子２１と同じ素材で製された可動端子２２上に設けられた可動接点１９ａとで構成される。この固定接点１９ｂ、可動接点１９ａの材質には、Ａｇ／Ｃｕ、ＡｇＣｄＯ／Ｃｕ、ＡｇＮｉ／Ｃｕ、あるいはＡｇＳｎＯ２／Ｃｕ合金等、電気抵抗が小さく、融点が高く、耐熱特性の良好な素材が利用できる。
そして、制御接点１９は、可動バネ２０が、カード１８に形成された突起部１８ａの押圧を受けることで可動接点１９ａが、固定接点１９ｂに接触するように構成されている。
【００１４】
このように構成される電磁リレー１は、通電コイル１２が通電すると、鉄心１３に作動片１４の吸着部１４ａが吸着され、これに連動して作動片１４の押圧部１４ｂが回動し、該押圧部１４ｂによりカード１８が固定接点１９ｂ側へ移動する。そして、カード１８に形成された突起部１８ａにより、可動接点１９ａが押圧されて、固定接点１９ｂと接触し、電路が閉状態となる。
通電コイル１２の通電を解除すると、吸着部１４ａの吸着が解除され、作動片１４並びにカード１８、可動バネ２０が元の位置に復帰する（復帰回動動作）ので、これに付随して可動接点１９ａが固定接点１９ｂより離反し、電路が開状態となる。
【００１５】
作動片１４の上方には、上述した該作動片１４の復帰回動動作を緩衝させるためのバネ部材１６が固着取り付けられている。
図２（ａ）は、本発明の電磁リレーの要部構成を示した部分斜視図であり、（ｂ）は、本発明に用いられるバネ板の斜視図である。
バネ部材１６は、作動片１４の吸着部１４ａの上方に跨るように形成された板状でなり、図２（ａ）に示すように、作動片１４の先側１４ｄが鉄心１３から離反した際に当接する範囲に設置される。バネ部材１６の中央部には、作動片１４の先側１４ｄが当接するように、作動片１４側に突出して切り起し形成された舌片１６ａが設けられている。作動片１４が完全に復帰位置に戻るまでの途上において、この舌片１６ａが作動片１４の先側１４ａに当接することにより、その弾性反力をして、通電コイル１２への通電が解除された後、作動片１４の復帰回動動作によって生じる作動片１４への衝撃を抑制するとともに、継鉄１７に衝突する速度を遅くすることができるので、この衝突による衝突音を抑えることができる。
【００１６】
なお、ここでは図示していないが、電磁リレー１の絶縁ベース２４上に構成され、その全体を覆うカバーケース側にバネ部材１６を設けたものとしてもよい。また、本発明の電磁リレーの構成、作動片等構成要素の形状等は図例のものに限定されないことは言うまでもない。
【図面の簡単な説明】
【００１７】
【図１】本発明の電磁リレーの構造を示した説明図で、（ａ）は平面図、（ｂ）は（ａ）図Ａ−Ａ線の部分断面を含む正面図である。
【図２】（ａ）は本発明の電磁リレーの要部構成を示した部分斜視図、（ｂ）はバネ部材の斜視図。
【図３】（ａ）は従来の衝撃吸収型電磁リレーを示した正面図、（ｂ）は同要部拡大斜視図である。
【符号の説明】
【００１８】
１      電磁リレー
１０      電磁石ブロック
１１      コイルボビン
１１ａ      鍔部
１２      通電コイル
１３      鉄心
１４      作動片
１４ａ      吸着部
１４ｂ      押圧部
１５      ヒンジバネ
１５ａ      支持部
１６      バネ部材
１６ａ      舌片
１７      継鉄
１８      カード
１９      接点
１９ａ      可動接点
１９ｂ      固定接点
２０      可動バネ
【図１】
2007200618.tif 000003
【図２】
2007200618.tif 000004
【図３】
2007200618.tif 000005